(57)【要約】 【課題】  播種される種子の個数，大きさに簡単に対応できるようにする。【解決手段】  種子が集積されるホッパ１と、ホッパ１に集積された種子の一部が収納される種子収納凹部２１が設けられホッパ１の下部に回転可能に配置されたロール２とを備えている。ロール２は、１つの播種ポイントについて軸方向へ複数個の種子収納凹部２１が並列して設けられている。ホッパ１，ロール２の間には、種子収納凹部２１の一部を選択的に閉鎖するシャッタ３が設けられている。【選択図】        図１
2005185168.tif 000002
【特許請求の範囲】
【請求項１】
種子が集積されるホッパと、ホッパに集積された種子の一部が収納される種子収納凹部が設けられホッパの下方部に回転可能に配置されたロールとを備えた播種装置において、ロールは１つの播種ポイントについて軸方向へ複数個の種子収納凹部が並列して設けられ、ホッパ，ロールの間には種子収納凹部の一部を選択的に閉鎖するシャッタが設けられていることを特徴とする。
【請求項２】
種子が集積されるホッパと、ホッパに集積された種子の一部が収納される種子収納凹部が設けられホッパの下方部に回転可能に配置されたロールとを備えた播種装置において、ロールの回転軸は端部が段違いの接合構造で分割され抜差し可能な芯ボルトで連結されていることを特徴とする。
【発明の詳細な説明】
【技術分野】
【０００１】
本発明は、播種される種子の個数，大きさへの対応性を備えた播種装置に係る技術分野に属する。
【背景技術】
【０００２】
播主装置としては、種子が集積されるホッパと、ホッパに集積された種子の一部が収容される種子収容溝が設けられホッパの下部に回転可能に配置されたロールとを備えたロール式と称されるものが広範に使用されている。
【０００３】
このロール式からなる播種装置は、ロールの回転でホッパに集積された種子を掻出すように繰出して播種するものであるが、ロールの種子収容溝の大きさが固定されてしまっている。このため、気候，土壌環境地域，作物等によって１つの播種ポイントでの種子の個数を調整したり、作年によって種子の大きさが微妙に異なったりすることに有効に対応することができないという不具合がある。そこで、播種される種子の個数，大きさへの対応性を備えた播種装置の開発が切望されている。
【０００４】
従来、播種される種子の個数，大きさへの対応性を備えた播種装置としては、例えば、以下に記載のものが知られている。
【特許文献１】特開平６−２５３６１７号公報  特許文献１には、種子が集積されるホッパと、ホッパに集積された種子の一部が収容される種子収容溝が設けられホッパの下部に回転可能に配置されたロールとを備え、ロールとして種子収納凹部の個数，大きさを異ならせた複数種類用意して交換するという播種装置が記載されている。
【発明の開示】
【発明が解決しようとする課題】
【０００５】
特許文献１に係る播種装置では、ロールを交換するための駆動伝達系との断続構造を含めた具体的手段が提案されていないため、実現性が低いという問題点がある。
【０００６】
本発明は、このような問題点を考慮してなされたもので、播種される種子の個数，大きさに簡単に対応することのできる播種装置を提供することを課題とする。
【課題を解決するための手段】
【０００７】
前述の課題を解決するため、本発明に係る播種装置は、特許請求の範囲の各請求項に記載の手段を採用する。
【０００８】
即ち、請求項１では、種子が集積されるホッパと、ホッパに集積された種子の一部が収容される種子収容溝が設けられホッパの下部に回転可能に配置されたロールとを備えた播種装置において、ロールは１つの播種ポイントについて軸方向へ複数個の種子収容溝が並列して設けられ、ホッパ，ロールの間には種子収容溝の一部を選択的に閉鎖するシャッタが設けられていることを特徴とする播種装置。
【０００９】
この手段では、シャッタの操作で１つの播種ポイントについて種子が収容される種子収容溝の個数が調整される。
【００１０】
また、請求項２では、種子が集積されるホッパと、ホッパに集積された種子の一部が収容される種子収容溝が設けられホッパの下部に回転可能に配置されたロールとを備えた播種装置において、ロールの回転軸は中空構造で段違いの接合構造で分割され抜差し可能な芯ボルトで連結されていることを特徴とする播種装置。
【００１１】
この手段では、ロールが回転軸の分離で交換される。
【発明の効果】
【００１２】
本発明に係る播種装置は、請求項１として、シャッタの操作で１つの播種ポイントについて種子が収容される種子収容溝の個数が調整され、ロールの交換を必要としないため、播種される種子の個数，大きさに簡単に対応することができる効果がある。
【００１３】
本発明に係る播種装置は、請求項２として、ロールが回転軸の分離で交換され、ロールの駆動伝達系との断続を避けてロールを簡単に交換することができるため、播種される種子の個数，大きさに簡単に対応することができる効果がある。
【発明を実施するための最良の形態】
【００１４】
以下、本発明に係る播種装置を実施するための最良の形態を図面に基づいて説明する。
【００１５】
この形態では、図１，図２に示すように、枝豆からなる種子Ｓを外箱Ｂに収容され順送されるセルトレイＴのポット穴に連続的に播種するものを示してある。
【００１６】
この形態は、図３に示すように、水平方向へセルトレイＴを順送する順送装置Ｖの中途部の上方に設置されている。なお、順送装置Ｖの順送上手側の上方には、セルトレイＴのポット穴に投入された培土を鎮圧する鎮圧装置Ｐが設置されている。また、順送装置Ｖの順送下手側の上方には、セルトレイＴのポット穴の中に播種された種子Ｓに覆土する覆土装置Ｃが設置されている。
【００１７】
この形態は、ホッパ１，ロール２，シャッタ３を基本に構成されている。
【００１８】
ホッパ１は、内部に種子Ｓが集積される方形のボックスからなる本体部１１と、本体部１１の上部に開口され種子Ｓが投入される投入口１２と、本体部１１の下部にロール２に対面して円弧形に開口され種子Ｓが排出される排出口１３とからなる。本体部１１は、順送下手側に傾斜面１１１が設けられ、傾斜面１１１にシャッタ３をボルト４でスライド可能に取付けるための軸方向（順送方向と直交する方向）へ延びる長孔１１２が設けられている。
【００１９】
ロール２は、種子Ｓが収容される種子収容溝２１が設けられた胴部２２と、胴部２２の両端部を閉塞する端板２３と、胴部２２から端板２３を貫通して突出しホッパ１，ロール２，シャッタ３を囲むハウジング５の側壁に固定された軸受６に支持されさらに駆動伝達系７に連結された回転軸２４とからなる。種子収容溝２１は、セルトレイＴのポット穴に対応して胴部２２の周方向，軸方向へ規則的に配置され、セルトレイＴの１つのポット穴である１つの播種ポイントについて軸方向へ２個が並列されている。回転軸２４は、端板２３に固定された中央軸２４１と、軸受６に支持され駆動伝達系７が固定された端軸２４２と、中央軸２４１，端軸２４２を連結する芯ボルト２４３とからなる。中央軸２４１は、丸棒の両端部に芯ボルト２４３が螺合するネジ穴２４１ａが刻設されて端板１２がから少しの長さ突出し、突出端に１つの軸方向の面と２つの径方向の面とからなる段違い接合面２４１ｂが設けられている。端軸２４２は、外側端が芯ボルト２４３を挿通可能に開放され内側端に中央軸２４１の段違い接合面２４１ｂに対応した段違い接合面２４２ｂが設けられた軸からなる。
【００２０】
シャッタ３は、ホッパ１の排出口１３を規則的に部分的開放，部分的閉鎖する開放部３１，閉鎖部３２で梯子形に形成され、ホッパ１の本体部１１に長孔１１２を利用して軸方向へスライド可能に取付けられる。閉鎖部３２の軸方向の幅は、ロール２の１つの播種ポイントについて軸方向へ２個が並列されている種子収容溝２１の１個を閉鎖することができるが２個を同時に閉鎖することができないように設定されている。
【００２１】
さらに、この形態では、整列機構８，ガイド機構９がロール２に近接してハウジング５の内部に設置されている。整列機構８は、ホッパ１の外側で回転してロール２の種子収容溝２１から飛出している種子Ｓを種子収容溝２１に押戻す姿勢補正部８１と、ホッパ１の外側でロール２の胴部２３に接線方向から接触して種子収容溝２１に収容されていない種子Ｓをな跳上げ排除する排除部８２とからなる。ガイド機構９は、整列機構８に後続してロール２の胴部２３に当接し、ロール２の種子収容溝２１に収容されている種子Ｓの脱落を阻止して所定位置（最下方）で開放する円弧形の面状体からなる。
【００２２】
この形態によると、図１，図２に示すように、シャッタ３をスライドさせることで、開放部３１にロール２の１つの播種ポイントについての種子収容溝２１を１個または２個を選択的に対面させることができる。従って、１つの播種ポイントについて播種される種子Ｓの個数を１個または２個に調整することができる。この結果、玉葱，レタス，キャベツ，ブロッコリ等の野菜よりも大きく１粒播き，２粒播きが栽培農家の好みによって異なる枝豆の種子Ｓの播種に好適となる。また、作年によって種子Ｓの大きさが小さい場合に１つの播種ポイントについて播種される種子Ｓの個数を２個として２粒播きとしたり、作年によって種子Ｓの大きさが大きい場合に１つの播種ポイントについて播種される種子Ｓの個数を１個として１粒播きとしたりすることもできる。
【００２３】
そして、１粒播き，２粒播きへの対応がボルト４の螺合操作とシャッタ３のスライド操作のみでたりるため、播種される種子Ｓの個数，大きさに簡単に対応することができる。
【００２４】
また、図６に示すように、ロール２の回転軸２４の芯ボルト２４３を引抜くことにより、中央軸２４１，端軸２４２を分離してロール２の種子収容溝２１が設けられた胴部２３を交換することができる。従って、ロール２の種子収容溝２１の大きさを異ならせた胴部２３を多数種類用意しておくことで、種々の種子Ｓの播種に対応することができる。
【００２５】
そして、ロール２の胴部２３の交換が駆動伝達系７の断続を要することなく行えることも、播種される種子Ｓの個数，大きさに簡単に対応することに寄与する。
【００２６】
以上、図示した各例の外に、枝豆の種子Ｓ以外に適用することも可能である。
【００２７】
さらに、ロール２の１つの播種ポイントについて軸方向へ並列される種子収容溝２１を３個以上とすることも可能である。
【産業上の利用可能性】
【００２８】
本発明に係る播種装置は、走行機体に搭載して田圃への直播きに使用することも可能である。
【図面の簡単な説明】
【００２９】
【図１】本発明に係る播種装置を実施するための最良の形態の一部切断の平面図である。
【図２】図１の他の動作状態図である。
【図３】図１が設置例を示す側面図である。
【図４】図３の要部拡大図である。
【図５】図４の要部拡大図である。
【図６】図５の要部の斜視図である。
【図７】図５の縦断面図である。
【符号の説明】
【００３０】
１            ホッパ
２            ロール
２１          種子収容溝
２４          回転軸
２４１        中央軸
２４１ｂ      段違い接合面（段違いの接合構造）
２４２        端軸
２４２ｂ      段違い接合面（段違いの接合構造）
２４３        芯ボルト
３            シャッタ
７            駆動伝達系
Ｃ            覆土装置
Ｐ            タイミング装置
Ｓ            種子
Ｖ            順送装置
【図１】
2005185168.tif 000003
【図２】
2005185168.tif 000004
【図３】
2005185168.tif 000005
【図４】
2005185168.tif 000006
【図５】
2005185168.tif 000007
【図６】
2005185168.tif 000008
【図７】
2005185168.tif 000009
【手続補正書】
【提出日】平成16年1月15日(2004.1.15)
【手続補正１】
【補正対象書類名】明細書
【補正対象項目名】全文
【補正方法】変更
【補正の内容】
【発明の詳細な説明】
【技術分野】
【０００１】
本発明は、播種される種子の個数，大きさへの対応性を備えた播種装置に係る技術分野に属する。
【背景技術】
【０００２】
播種装置としては、種子が集積されるホッパと、ホッパに集積された種子の一部が収納される種子収納凹部が設けられホッパの下方部に回転可能に配置されたロールとを備えたロール式と称されるものが広範に使用されている。
【０００３】
このロール式からなる播種装置は、ロールの回転でホッパに集積された種子を掻出すように繰出して播種するものであるが、ロールの種子収納凹部の大きさが固定されてしまっている。このため、気候，土壌環境地域，作物等によって１つの播種ポイントでの種子の個数を調整したり、作年によって種子の大きさが微妙に異なったりすることに有効に対応することができないという不具合がある。そこで、播種される種子の個数，大きさへの対応性を備えた播種装置の開発が切望されている。
【０００４】
従来、播種される種子の個数，大きさへの対応性を備えた播種装置としては、例えば、以下に記載のものが知られている。
【特許文献１】特開平６−２５３６１７号公報  特許文献１には、種子が集積されるホッパと、ホッパに集積された種子の一部が収納される種子収納凹部が設けられホッパの下方部に回転可能に配置されたロールとを備え、ロールとして種子収納凹部の個数，大きさを異ならせた複数種類用意して交換するという播種装置が記載されている。
【発明の開示】
【発明が解決しようとする課題】
【０００５】
特許文献１に係る播種装置では、ロールを交換するための駆動伝達系との断続構造を含めた具体的手段が提案されていないため、実現性が低いという問題点がある。
【０００６】
本発明は、このような問題点を考慮してなされたもので、播種される種子の個数，大きさに簡単に対応することのできる播種装置を提供することを課題とする。
【課題を解決するための手段】
【０００７】
前述の課題を解決するため、本発明に係る播種装置は、特許請求の範囲の各請求項に記載の手段を採用する。
【０００８】
即ち、請求項１では、種子が集積されるホッパと、ホッパに集積された種子の一部が収納される種子収納凹部が設けられホッパの下方部に回転可能に配置されたロールとを備えた播種装置において、ロールは１つの播種ポイントについて軸方向へ複数個の種子収納凹部が並列して設けられ、ホッパ，ロールの間には種子収納凹部の一部を選択的に閉鎖するシャッタが設けられていることを特徴とする播種装置。
【０００９】
この手段では、シャッタの操作で１つの播種ポイントについて種子が収納される種子収納凹部の個数が調整される。
【００１０】
また、請求項２では、種子が集積されるホッパと、ホッパに集積された種子の一部が収納される種子収納凹部が設けられホッパの下方部に回転可能に配置されたロールとを備えた播種装置において、ロールの回転軸は端部が段違いの接合構造で分割され抜差し可能な芯ボルトで連結されていることを特徴とする播種装置。
【００１１】
この手段では、ロールが回転軸の分離で交換される。
【発明の効果】
【００１２】
本発明に係る播種装置は、請求項１として、シャッタの操作で１つの播種ポイントについて種子が収納される種子収納凹部の個数が調整され、ロールの交換を必要としないため、播種される種子の個数，大きさに簡単に対応することができる効果がある。
【００１３】
本発明に係る播種装置は、請求項２として、ロールが回転軸の分離で交換され、ロールの駆動伝達系との断続を避けてロールを簡単に交換することができるため、播種される種子の個数，大きさに簡単に対応することができる効果がある。
【発明を実施するための最良の形態】
【００１４】
以下、本発明に係る播種装置を実施するための最良の形態を図面に基づいて説明する。
【００１５】
この形態では、図１，図２に示すように、枝豆からなる種子Ｓを順送されるセルトレイＴのポット穴に連続的に播種するものを示してある。
【００１６】
この形態は、図３に示すように、水平方向へセルトレイＴを順送する順送装置Ｖの中途部の上方に設置されている。なお、順送装置Ｖの順送上手側の上方には、セルトレイＴのポット穴と係合し、セルトレイの播種装置への送り込みタイミング装置Ｐが設置されている。また、順送装置Ｖの順送下手側の上方には、セルトレイＴのポット穴の中に播種された種子Ｓに覆土する覆土装置Ｃが設置されている。
【００１７】
この形態は、ホッパ１，ロール２，シャッタ３を基本に構成されている。
【００１８】
ホッパ１は、内部に種子Ｓが集積される方形のボックスからなる本体部１１と、本体部１１の上部に開口され種子Ｓが投入される投入口１２と、本体部１１の下部にロール２に対面して円弧形に開口され種子Ｓが排出される排出口１３とからなる。本体部１１は、順送下手側に傾斜面１１１が設けられ、傾斜面１１１にシャッタ３をボルト４でスライド可能に取付けるための軸方向（順送方向と直交する方向）へ延びる長孔１１２が設けられている。
【００１９】
ロール２は、種子Ｓが収納される種子収納凹部２１が設けられた胴部２２と、胴部２２の両端部を閉塞する端板２３と、胴部２２から端板２３を貫通して突出しホッパ１，ロール２，シャッタ３を囲むハウジング５の側壁に固定された軸受６に支持されさらに駆動伝達系７に連結された回転軸２４とからなる。種子収納凹部２１は、セルトレイＴのポット穴に対応して胴部２２の周方向，軸方向へ規則的に配置され、セルトレイＴの１つのポット穴である１つの播種ポイントについて軸方向へ２個が並列されている。回転軸２４は、端板２３に固定された中央軸２４１と、軸受６に支持され駆動伝達系７が固定された端軸２４２と、中央軸２４１，端軸２４２を連結する芯ボルト２４３とからなる。中央軸２４１は、丸棒の両端部に芯ボルト２４３が螺合するネジ穴２４１ａが刻設されて端板１２から少しの長さ突出し、突出端に１つの軸方向の面と２つの径方向の面とからなる段違い接合面２４１ｂが設けられている。端軸２４２は、外側端が芯ボルト２４３を挿通可能に開放され内側端に中央軸２４１の段違い接合面２４１ｂに対応した段違い接合面２４２ｂが設けられた軸からなる。接合面２４１ｂは、ロール２の端板２３とハウジング５の側壁との間に位置されている。
【００２０】
シャッタ３は、ホッパ１の排出口１３を規則的に部分的開放，部分的閉鎖する開放部３１，閉鎖部３２で梯子形に形成され、ホッパ１の本体部１１に長孔１１２を利用して軸方向へスライド可能に取付けられる。閉鎖部３２の軸方向の幅は、ロール２の１つの播種ポイントについて軸方向へ２個が並列されている種子収納凹部２１の１個を閉鎖することができるが２個を同時に閉鎖することができないように設定されている。
【００２１】
さらに、この形態では、整列機構８，ガイド機構９がロール２に近接してハウジング５の内部に設置されている。整列機構８は、ホッパ１の外側で回転してロール２の種子収納凹部２１から飛出している種子Ｓを弾き飛ばす羽根装置８１と、ホッパ１の外側でロール２の胴部２３に接線方向から接触して種子収納凹部２１に収納されていない種子Ｓを跳上げ排除する排除部８２とからなる。ガイド機構９は、整列機構８に後続してロール２の胴部２３に当接し、ロール２の種子収納凹部２１に収納されている種子Ｓの脱落を阻止して所定位置（最下方）で開放する円弧形の面状体からなる。
【００２２】
この形態によると、図１，図２に示すように、シャッタ３をスライドさせることで、開放部３１にロール２の１つの播種ポイントについての種子収納凹部２１を１個または２個を選択的に対面させることができる。従って、１つの播種ポイントについて播種される種子Ｓの個数を１個または２個に調整することができる。この結果、玉葱，レタス，キャベツ，ブロッコリ等の野菜よりも大きく１粒播き，２粒播きが栽培農家の好みによって異なる枝豆の種子Ｓの播種に好適となる。また、作年によって種子Ｓの大きさが小さい場合に１つの播種ポイントについて播種される種子Ｓの個数を２個として２粒播きとしたり、作年によって種子Ｓの大きさが大きい場合に１つの播種ポイントについて播種される種子Ｓの個数を１個として１粒播きとしたりすることもできる。
【００２３】
そして、１粒播き，２粒播きへの対応がボルト４の螺合操作とシャッタ３のスライド操作のみでたりるため、播種される種子Ｓの個数，大きさに簡単に対応することができる。
【００２４】
また、図６に示すように、ロール２の回転軸２４の芯ボルト２４３を引抜くことにより、中央軸２４１，端軸２４２を分離してロール２の種子収納凹部２１が設けられた胴部２３を交換することができる。従って、ロール２の種子収納凹部２１の大きさを異ならせた胴部２３を多数種類用意しておくことで、種々の種子Ｓの播種に対応することができる。
【００２５】
そして、ロール２の胴部２３の交換が駆動伝達系７の断続を要することなく行えることも、播種される種子Ｓの個数，大きさに簡単に対応することに寄与する。
【００２６】
以上、図示した各例の外に、枝豆の種子Ｓ以外に適用することも可能である。
【００２７】
さらに、ロール２の１つの播種ポイントについて軸方向へ並列される種子収納凹部２１を３個以上とすることも可能である。
【００２８】
削除
【図面の簡単な説明】
【００２９】
【図１】本発明に係る播種装置を実施するための最良の形態の一部切断の平面図である。
【図２】図１の他の動作状態図である。
【図３】図１が設置例を示す側面図である。
【図４】図３の要部拡大図である。
【図５】図４の要部拡大図である。
【図６】図５の要部の斜視図である。
【図７】図５の縦断面図である。
【符号の説明】
【００３０】
１            ホッパ
２            ロール
２１          種子収納凹部
２４          回転軸
２４１        中央軸
２４１ｂ      段違い接合面（段違いの接合構造）
２４２        端軸
２４２ｂ      段違い接合面（段違いの接合構造）
２４３        芯ボルト
３            シャッタ
７            駆動伝達系
Ｃ            覆土装置
Ｐ            タイミング装置
Ｓ            種子
Ｖ            順送装置